(57)【要約】【課題】部品交換の作業効率を向上させることができる表示装置及びテレビジョン受信機を提供する。【解決手段】表示装置が備える位置決め枠９は、表示パネル２、光学シート８及びバックライト７１の外周側に配置する外周側枠部９１と、光学シート２よりも前側に位置する外周側枠部９１の部分から内周側に突出する突出部９２とを有し、バックライトシャーシ６、バックライト７１、光学シート８及び位置決め枠９は、バックライト７１及び光学シート８がバックライトシャーシ６及び突出部９２により挟持され、かつバックライトシャーシ６及び外周側枠部９１が後方からねじ９Ｓにより締結されてある。【選択図】図１０
2013242391.tif 000002
【特許請求の範囲】
【請求項１】
前面に画面を有する表示パネルと、
該表示パネルに後方から光を照射するバックライトと、
前記表示パネル及びバックライトの間に配置される光学シートと、
前記バックライトを後方から保持するバックライトシャーシと、
前記表示パネルの周側面に当接して、前記画面の面内方向における配置位置に該表示パネルを位置決めする位置決め枠と
を備える表示装置において、
前記位置決め枠は、
前記表示パネル、光学シート及びバックライトの外周側に配置する外周側枠部と、
前記光学シートよりも前側に位置する前記外周側枠部の部分から内周側に突出する突出部と
を有し、
前記バックライトシャーシ、バックライト、光学シート及び位置決め枠は、該バックライト及び光学シートが該バックライトシャーシ及び突出部により挟持され、かつ該バックライトシャーシ及び外周側枠部が後方からねじにより締結されてある
ことを特徴とする表示装置。
【請求項２】
前記位置決め枠の前側に配置して、前記表示パネルの前側周縁部を覆う枠体を備え、
該枠体、表示パネル、バックライトシャーシ、バックライト、光学シート及び位置決め枠は、前記バックライトシャーシ及び枠体を後方から締結する第二ねじにより固定されてある
ことを特徴とする請求項１に記載の表示装置。
【請求項３】
前記外周側枠部は前後に貫通する穴を有し、
前記枠体は前記外周側枠部の穴を貫通するボス部を有し、
前記第二ねじは前記バックライトシャーシ及びボス部を締結している
ことを特徴とする請求項２に記載の表示装置。
【請求項４】
前記表示パネルは前記枠体と前記光学シート又は突出部とにより挟持されるように構成されてある
ことを特徴とする請求項２又は請求項３に記載の表示装置。
【請求項５】
前記突出部は内周側先端が前記表示パネルの周側面に当接するように設けてある
ことを特徴とする請求項１から請求項３までのいずれか一項に記載の表示装置。
【請求項６】
前記バックライトは、
側面から入光した光を一面から出光して前記表示パネルを照射する導光板と、
該導光板の側面と対向する前記外周側枠部に配設された光源と
を有する
ことを特徴とする請求項１から請求項５までのいずれか一項に記載の表示装置。
【請求項７】
請求項１から請求項６までのいずれか一項に記載の表示装置と、
テレビジョン放送を受信する受信部と
を備え、
前記表示装置は前記受信部が受信したテレビジョン放送に係る画像を表示するようにしてある
ことを特徴とするテレビジョン受信機。
【発明の詳細な説明】
【技術分野】
【０００１】
本発明は、表示パネルの背面側にバックライトを配置した表示装置及びテレビジョン受信機に関する。
【背景技術】
【０００２】
表示パネルとバックライトユニットとの間には、複数枚の光学シートが配置されている。表示パネル、バックライトユニット及び光学シートは、ねじで一体に固定されている。故障した表示パネル、バックライトユニット又はバックライトの光源を正常品と交換するために、表示装置を分解する場合、光学シートがばらけてしまい、光学シートに埃等が混入するおそれがある。そこで、特許文献１には、光学シートを保持する部材を備えることにより、光学シートが保持された状態で、バックライトの光源を交換することができる表示装置が開示されている。
【先行技術文献】
【特許文献】
【０００３】
【特許文献１】特開２００５−２０２０３６号公報
【発明の概要】
【発明が解決しようとする課題】
【０００４】
しかしながら、特許文献１に係る表示装置の場合、各部材は前側からねじで固定されているため、バックライトの光源を交換する際、分解後の表示モジュールを反転させる必要があり、長い作業時間を要する。また、特許文献１に係る表示装置の場合、表示パネルを交換するために前側のねじを外した場合、光学シートがばらけるおそれがある。そのため、光学シートがばらけないように注意を払う必要があり、作業効率が低い。
【０００５】
本発明はかかる事情に鑑みてなされたものである。その目的は、部品交換の作業効率を向上させることができる表示装置及びテレビジョン受信機を提供することにある。
【課題を解決するための手段】
【０００６】
本願に係る表示装置は、前面に画面を有する表示パネルと、該表示パネルに後方から光を照射するバックライトと、前記表示パネル及びバックライトの間に配置される光学シートと、前記バックライトを後方から保持するバックライトシャーシと、前記表示パネルの周側面に当接して、前記画面の面内方向における配置位置に該表示パネルを位置決めする位置決め枠とを備える表示装置において、前記位置決め枠は、前記表示パネル、光学シート及びバックライトの外周側に配置する外周側枠部と、前記光学シートよりも前側に位置する前記外周側枠部の部分から内周側に突出する突出部とを有し、前記バックライトシャーシ、バックライト、光学シート及び位置決め枠は、該バックライト及び光学シートが該バックライトシャーシ及び突出部により挟持され、かつ該バックライトシャーシ及び外周側枠部が後方からねじにより締結されてあることを特徴とする。
【０００７】
本願に係る表示装置では、前面に画面を有する表示パネル、表示パネルに後方から光を照射するバックライト、表示パネルとバックライトとの間に配置される光学シート、バックライトを後方から保持するバックライトシャーシ及び表示パネルの周側面に当接して、画面の面内方向における配置位置に表示パネルを位置決めする位置決め枠が、備えられている。位置決め枠は、外周側枠部と突出部とを有する。外周側枠部は、表示パネル、光学シート及びバックライトの外周側に配置している。突出部は、光学シートよりも前側に位置する外周側枠部の部分から内周側に突出している。バックライト及び光学シートは、バックライトシャーシと突出部との間に挟持されている。また、バックライトシャーシ及び外周側枠部は、後方からねじにより締結されている。これにより、バックライトシャーシ、バックライト、光学シート及び位置決め枠は、一体的に固定されている。
【０００８】
本願に係る表示装置は、前記位置決め枠の前側に配置して、前記表示パネルの前側周縁部を覆う枠体を備え、該枠体、表示パネル、バックライトシャーシ、バックライト、光学シート及び位置決め枠は、前記バックライトシャーシ及び枠体を後方から締結する第二ねじにより固定されてあることを特徴とする。
【０００９】
本願に係る表示装置では、位置決め枠の前側に配置し、表示パネルの前側周縁部を覆う枠体が備えられている。枠体、表示パネル並びに一体的に固定されているバックライトシャーシ、バックライト、光学シート及び位置決め枠は、バックライトシャーシ及び枠体を後方から締結する第二ねじにより固定されている。表示装置から第二ねじを取り除いた場合、枠体、表示パネルと、一体的に固定されているバックライトシャーシ、バックライト、光学シート及び位置決め枠とは、分離可能となる。しかし、バックライトシャーシ、バックライト、光学シート及び位置決め枠は、一体的に固定された状態を維持する。
【００１０】
本願に係る表示装置は、前記外周側枠部は前後に貫通する穴を有し、前記枠体は前記外周側枠部の穴を貫通するボス部を有し、前記第二ねじは前記バックライトシャーシ及びボス部を締結していることを特徴とする。
【００１１】
本願に係る表示装置では、枠体は後側にボス部が設けられている。ボス部は、外周側枠の前後を貫通する穴に貫通している。第二ねじは、バックライトシャーシとボス部とを後方から締結している。
【００１２】
本願に係る表示装置は、前記表示パネルは前記枠体と前記光学シート又は突出部とにより挟持されるように構成されてあることを特徴とする。
【００１３】
本願に係る表示装置では、表示パネルは枠体と光学シート又は突出部とにより挟持されている。
【００１４】
本願に係る表示装置は、前記突出部は内周側先端が前記表示パネルの周側面に当接するように設けてあることを特徴とする。
【００１５】
本願に係る表示装置では、突出部の内周側先端が表示パネルの周側面に当接するようになしてある。これにより、突出部は表示パネルを画面の面内方向における配置位置に案内する。
【００１６】
本願に係る表示装置は、前記バックライトは、側面から入光した光を一面から出光して前記表示パネルを照射する導光板と、該導光板の側面と対向する前記外周側枠部に配設された光源とを有することを特徴とする。
【００１７】
本願に係る表示装置では、バックライトは導光板及び光源を有する。導光板は、側面から入光した光を一面から出光し、表示パネルを後方から照射する。光源は、導光板の側面と対向する外周側枠部に配設されている。
【００１８】
本願に係るテレビジョン受信機は、上記に記載の表示装置と、テレビジョン放送を受信する受信部とを備え、前記表示装置は前記受信部が受信したテレビジョン放送に係る画像を表示するようにしてあることを特徴とする。
【００１９】
本願に係るテレビジョン受信機では、表示装置及び受信部が備えられている。受信部は、テレビジョン放送を受信する。表示装置は、受信部が受信したテレビジョン放送に係る画像を表示する。
【発明の効果】
【００２０】
本願に係る表示装置等によれば、部品交換の作業効率を向上させることができる。
【図面の簡単な説明】
【００２１】
【図１】テレビジョン受信機の概略斜視図である。
【図２】切断されたテレビジョン受信機の部分を示す概略斜視図である。
【図３】図２に示すテレビジョン受信機の上半分における左下角部を拡大した概略斜視図である。
【図４】図３のＩＶ−ＩＶ線により切断したテレビジョン受信機の部分の概略斜視図である。
【図５】図３に示すテレビジョン受信機の部分の分解図である。
【図６】図４に示すテレビジョン受信機の部分の分解図である。
【図７】切断されたテレビジョン受信機の部分を示す概略斜視図である。
【図８】図７に示すテレビジョン受信機の左半分における右下角部を拡大した概略斜視図である。
【図９】図８のＩＸ−ＩＸ線により切断したテレビジョン受信機の部分の概略斜視図である。
【図１０】液晶パネルを交換するためにテレビジョン受信機を分解する方法について示した説明図である。
【図１１】ＬＥＤを交換するためにテレビジョン受信機を分解する方法について示した説明図である。
【図１２】ＬＥＤを交換するための説明図である。
【発明を実施するための形態】
【００２２】
本発明の一実施例における表示装置は、テレビジョン受信機、コンピュータに接続して使用されるモニタ、デジタルサイネージに利用されるディスプレイ、スマートフォン、携帯電話又はＰＤＡ（Personal Digital Assistant）等が備える表示部等を含む。以下では、表示装置の一例として、テレビジョン受信機を実施の形態を示す図面に基づいて説明する。
本実施の形態に係るテレビジョン受信機は、エッジライト方式又は直下型方式のバックライトと、液晶パネル（表示パネル）とを備えている。以下では、エッジライト方式のバックライト及び液晶パネルを備えるテレビジョン受信機を例に挙げて説明する。
【００２３】
図１は、テレビジョン受信機１の概略斜視図である。テレビジョン受信機１は、液晶パネル２、バックライト７（図３参照）、バックライトシャーシ６（図２及び図３参照）、電源基板Ｐ、受信部Ｔ、駆動基板Ｄ及びスタンドＳを含む。液晶パネル２は、後方のバックライト７から光の照射を受け、画像を表示する画面２１を前側に有する。電源基板Ｐ、受信部Ｔ及び駆動基板Ｄは、バックライト７を後側から保持するバックライトシャーシ６の後側面下部に配設されている。
【００２４】
電源基板Ｐは、テレビジョン受信機１の各構成部に電力を供給する。受信部Ｔは、テレビジョン放送に関する画像信号を受信する。駆動基板Ｄは、受信部Ｔが受信したテレビジョン放送に関する画像信号に所定の信号処理を施し、液晶パネル２に信号処理後の画像信号を出力する。また、駆動基板Ｄは、バックライト７を駆動する。スタンドＳは、テレビジョン受信機１を起立状態で支持する支柱及び板である。
【００２５】
ここで、テレビジョン受信機１が画像を表示する横長矩形状の画面２１に対して視聴者が正対した場合、画面２１から視聴者側を前側、その反対である画面２１から奥側を後側又は背面側とする。視聴者から画面２１に向かって、画面２１の長辺方向右側を右、画面２１の長辺方向左側を左とする。後側からテレビジョン受信機１を見た場合、左右は逆になる。液晶パネル２に対してスタンドＳが配置する方向を下、下の反対方向を上とする。画面２１の短辺方向は、上下方向と略一致する。図１は、テレビジョン受信機１を前側右斜めから示している。
【００２６】
テレビジョン受信機１は、フロントキャビネット３、アルミフレーム（枠体）４及びバックキャビネット５を含む。
フロントキャビネット３は、例えば樹脂製であり、横長矩形の枠状をなす。フロントキャビネット３は、画面２１の前側周縁部を取り囲んでいる。フロントキャビネット３は、略中央に横長矩形状の開口３１を有し、画面２１は開口３１から覗いている。
【００２７】
アルミフレーム４は、フロントキャビネット３の後側に配置され、画面２１の前側周縁部を覆う横長矩形状のアルミニウムからなる枠である。アルミフレーム４は、後側に延出する筒部４１を有し、筒部４１は液晶パネル２及びバックライトの外周側を覆っている。筒部４１の前側面は、テレビジョン受信機１の前側周端を縁取るようにフロントキャビネット３の周囲に露出している。また、アルミフレーム４の筒部４１は、テレビジョン受信機１の周側方を囲む筐体をなしている。
【００２８】
バックキャビネット５は、テレビジョン受信機１の後側を構成する筐体である。バックキャビネット５は、例えば樹脂製であり、概ね皿状である。バックキャビネット５の周端部は前側に湾曲している（図３参照）。
【００２９】
図２は、切断されたテレビジョン受信機１の部分を示す概略斜視図である。図２は、テレビジョン受信機１の略中心を水平面により接断した場合における上半分を後側右斜め下から示している。図２において、バックキャビネット５は、テレビジョン受信機１の後側外観のほとんどを占める。バックキャビネット５の前側には、バックライトシャーシ６が配置する。図２において、テレビジョン受信機１の上半分における右側側方にアルミフレーム４の筒部４１が露出している。
【００３０】
図３は、図２に示すテレビジョン受信機１の上半分における左下角部を拡大した概略斜視図である。
図４は、図３のＩＶ−ＩＶ線により切断したテレビジョン受信機１の部分の概略斜視図である。
図５は、図３に示すテレビジョン受信機１の部分の分解図である。
図６は、図４に示すテレビジョン受信機１の部分の分解図である。
【００３１】
フロントキャビネット３は、テレビジョン受信機１の最も前側に配置される。フロントキャビネット３の開口３１における周縁部は、僅かに後側に屈曲している。この屈曲したフロントキャビネット３の部分の後側先端は、液晶パネル２の前側周縁部に当接している（図３及び図４参照）。
【００３２】
フロントキャビネット３の後側にはアルミフレーム４が配置される。アルミフレーム４は、筒部４１及び前側枠４２を含む（図６参照）。前側枠４２は、スペーサ２Ｓを介して液晶パネル２の前側周縁部を覆う横長矩形状の枠であり、フロントキャビネット３の後側面と例えば両面テープにより接着されている。筒部４１は、前側枠４２の外周端から後側に形成されている。バックキャビネット５の湾曲した周端部の先端部分は、前側に延びており、筒部４１の後側の内面に当接している（図３及び図４参照）。
【００３３】
テレビジョン受信機１は、バックライト７及び光学シート８を含む。
バックライト７は、液晶パネル２の後側に配置する。液晶パネル２とバックライト７との間には、光学シート８が挟まれている。光学シート８は、視野角拡大シート、反射偏光シート、拡散シート、プリズムシート等であり、複数枚からなる。視野角拡大シートは、良好な表示性能が得られる視角の範囲を拡大する。反射偏光シートは、例えば屈折率の互いに異なる層を交互に積層した多層構造を有し、指向性が高められた光をｐｓ分離すると共にｐ波だけを透過させ、ｓ波を選択的に反射する。拡散シートは、光を拡散する。プリズムシートは、複数のレンズが隣接して配列され、光の進行方向を制御する。
【００３４】
バックライト７は、導光板７１及び反射シート７２を含む。導光板７１は、液晶パネル２と略同一の大きさ及び矩形状の前側面と後側面とを有する平板であり、例えばアクリルから構成されている。導光板７１は側面方向に配置されたＬＥＤ７３（図８参照）から入光した光を拡散し、かつ前面から光学シート８及び液晶パネル２に拡散した光を出光する。導光板７１の後側面には、光を有効利用するために、前側に光を反射する反射シート７２が貼設されている。
【００３５】
テレビジョン受信機１は、パネルガイド（位置決め枠）９及びバックライトシャーシ６を含む。
パネルガイド９は、液晶パネル２、光学シート８、導光板７１及び反射シート７２の外側に、かつアルミフレーム４の筒部４１の内側に配置する枠状の部材である。パネルガイド９は、例えば樹脂からなり、テレビジョン受信機１を組み立てる場合、液晶パネル２をガイドして、決められた位置に位置決めする機能を有す。
【００３６】
パネルガイド９は、外周側枠部９１及び突出部９２を含む。外周側枠部９１は、液晶パネル２、光学シート８、導光板７１及び反射シート７２の外周側を覆う枠である。突出部９２は、液晶パネル２の側面と対向する外周側枠部９１の部分から内側に突出したリブ状の突起である。図３、図４、図５及び図６において、突出部９２のごく一部が描かれているが、突出部９２は、液晶パネル２における上下左右の４側面全てに対応するように、外周側枠部９１の全内周側面に設けられている。液晶パネル２の位置決めは、液晶パネル２の側面が突出部９２の先端面と当接するように、行われる。突出部９２の先端部における後側面は、光学シート８の前側周縁部に当接している（図３及び図４参照）。
【００３７】
バックライトシャーシ６は、反射シート７２が貼設された導光板７１及びパネルガイド９の外周側枠部９１を後側から保持する蓋体である。バックライトシャーシ６は、例えばアルミニウムからなり、その周端部は前側に屈曲している。この屈曲した部分の外側面は、筒部４１の内側面と当接又は対峙している。パネルガイド９の外周側枠部９１に対応するバックライトシャーシ６の周端部には、複数のねじ挿通穴が設けられており、当該ねじ挿通穴と対応する外周側枠部９１の後側面にねじ穴が設けられている。
【００３８】
パネルガイドねじ（ねじ）９Ｓは、バックライトシャーシ６のねじ挿通穴及び外周側枠部９１のねじ穴に、後側から挿通及び螺合することにより、バックライトシャーシ６とパネルガイド９とを締結している（図４及び図６参照）。パネルガイドねじ９Ｓの締結力により、光学シート８及び反射シート７２が貼設された導光板７１は、突出部９２とバックライトシャーシ６とにより挟持されている。そして、パネルガイドねじ９Ｓの締結力により、バックライトシャーシ６、反射シート７２が貼設された導光板７１、光学シート８及びパネルガイド９は、一体的に固定されたユニットをなしている。以下、このユニットをバックライトシャーシユニット６０と呼ぶ（図５及び図６参照）。
【００３９】
アルミフレーム４は、複数のボス（ボス部）４３を含む（図３及び図５参照）。ボス４３は、前側枠４２から後側へ、外周側枠部９１の前後に貫設された穴９１ｈを貫通して、バックライトシャーシ６まで立設されている（図３参照）。ボス４３は、筒型をなし、前側枠４２の周に沿って複数設けられている。ボス４３各々と対応するバックライトシャーシ６の周端部には、複数のねじ挿通穴が設けられている。このねじ挿通穴は、パネルガイドねじ９Ｓが挿通するねじ挿通穴とは別に設けられている。
【００４０】
アルミフレームねじ（第二ねじ）４Ｓは、バックライトシャーシ６のねじ挿通穴及びボス４３の中空部に、後側から挿通及び螺合することにより、バックライトシャーシ６とアルミフレーム４とを締結している（図３及び図５参照）。アルミフレームねじ４Ｓの締結力により、液晶パネル２及びスペーサ２Ｓは、アルミフレーム４とバックライトシャーシユニット６０又は光学シート８とにより挟持されている。そして、アルミフレームねじ４Ｓの締結力により、アルミフレーム４、液晶パネル２、スペーサ２Ｓ及びバックライトシャーシユニット６０は、固定されている。
【００４１】
図７は、切断されたテレビジョン受信機１の部分を示す概略斜視図である。図７は、テレビジョン受信機１の略中心に対して後側から見て右寄りの位置を上下方向と平行な面により切断した場合における左半分を、後側右斜め下から示している。
図８は、図７に示すテレビジョン受信機１の左半分における右下角部を拡大した概略斜視図である。
図９は、図８のＩＸ−ＩＸ線により切断したテレビジョン受信機１の部分の概略斜視図である。
【００４２】
バックライト７は、ＬＥＤ（光源）７３、ＬＥＤ基板７４及びＬＥＤバー７５を含む。ＬＥＤ７３は、導光板７１に入光する光の光源である。ＬＥＤ基板７４は、ＬＥＤ７３の基板であり、細長い矩形状をなす。ＬＥＤ基板７４は、複数のＬＥＤ７３を搭載している。ＬＥＤバー７５は、ＬＥＤ基板７４及び外周側枠部９１の間に介在する細長い部材である。ＬＥＤバー７５は、断面形状がＬ字状をなし、熱伝導性の良い金属（例えば、アルミニウム）からなるアングルである。ＬＥＤバー７５は、ＬＥＤ７３の発熱をバックライトシャーシ６に伝導する放熱機能を有す。
ＬＥＤ７３は、ＬＥＤ基板７４に例えばハンダ付けされている。ＬＥＤ基板７４は、ＬＥＤバー７５に例えばねじにより固定される。このように、ＬＥＤ７３、ＬＥＤ基板７４及びＬＥＤバー７５は、一体の状態にある。テレビジョン受信機１のＬＥＤ７３を交換する場合、テレビジョン受信機１から一体状態のＬＥＤ７３、ＬＥＤ基板７４及びＬＥＤバー７５を取り外し、ＬＥＤ７３を交換することができる。
【００４３】
ＬＥＤ７３、ＬＥＤ基板７４及びＬＥＤバー７５は、ＬＥＤバー７５がテレビジョン受信機１の下部に位置するパネルガイド９の外周側枠部９１部分に例えばねじ（図示せず）で後方から固定されることにより、外周側枠部９１に設置されている。つまり、ＬＥＤ７３が導光板７１の下側側面と対向するように、ＬＥＤ７３、ＬＥＤ基板７４及びＬＥＤバー７５は、外周側枠部９１の下部に配設されている。
なお、ＬＥＤ７３、ＬＥＤ基板７４及びＬＥＤバー７５は、テレビジョン受信機１の上部又は側方に位置する外周側枠部９１に配設されていてもよい。
【００４４】
次に、テレビジョン受信機１の組み立て方法について説明する。
ます、パネルガイド９における下部の外周側枠部９１に、ＬＥＤ７３、ＬＥＤ基板７４及びＬＥＤバー７５を取り付けておく。また、導光板７１の後側面に反射シート７２を貼設しておく。
【００４５】
フロントキャビネット３の後側面を上方に向け、水平な台にフロントキャビネット３を載置する。フロントキャビネット３の上に、アルミフレーム４を載置する。アルミフレーム４の前側枠４２の内側縁にスペーサ２Ｓを配置する。アルミフレーム４の上に、パネルガイド９を載置する。液晶パネル２の各側面が突出部９２の内側先端に当接するように、パネルガイド９に対して液晶パネル２を位置合わせし、配置する。枠状の突出部９２先端部における後側面の上に、光学シート８及び導光板７１をこの順に積層する。
【００４６】
バックライトシャーシ６をアルミフレーム４及びパネルガイド９に対して位置合わせする。バックライトシャーシ６における前側に屈曲した周端部を、アルミフレーム４の筒部４１及びパネルガイド９の外周側枠部９１の間に挿入する。バックライトシャーシ６の後側に設けられたねじ挿通穴にアルミフレームねじ４Ｓ及びパネルガイドねじ９Ｓを挿入し、挿入したアルミフレームねじ４Ｓ及びパネルガイドねじ９Ｓを螺入する。
バックライトシャーシ６の後側面に、電源基板Ｐ、受信部Ｔ及び駆動基板Ｄを設置する。
【００４７】
バックライトシャーシ６を後側から覆うように、バックキャビネット５の湾曲した周端部を筒部４１の後側の内面に当接させる。バックライトキャビネット５の周端部に設けられたねじ穴にねじを螺合固定する。
テレビジョン受信機１を分解する場合、上記と逆の手順に従う。
【００４８】
次に、液晶パネル２の交換方法について説明する。
テレビジョン受信機１は、後方から順に概ねバックキャビネット５、バックライトシャーシユニット６０、液晶パネル２、アルミフレーム４及びフロントキャビネット３が積層した構造を有している。そのため、後方から順にバックキャビネット５及びバックライトシャーシユニット６０を、テレビジョン受信機１から取り外すことにより、液晶パネル２を交換することができる。
【００４９】
図１０は、液晶パネル２を交換するためにテレビジョン受信機１を分解する方法について示した説明図である。図１０は、簡略化したテレビジョン受信機１を示しており、フロントキャビネット３、バックキャビネット５、反射シート７２、ＬＥＤ７３、ＬＥＤ基板７４、ＬＥＤバー７５及びスペーサ２Ｓは省略されている。また、電源基板Ｐ、受信部Ｔ及び駆動基板Ｄも省略されている。
【００５０】
図１０Ａは、分解前のテレビジョン受信機１を示している。図１０Ｂは、分解後のテレビジョン受信機１を示している。図１０Ｂにおいて、破線により囲まれた部分は、バックライトシャーシユニット６０を示している。
なお、図３において、液晶パネル２は、アルミフレーム４と光学シート８とで挟持されていた。しかし、図１０Ａに示すように、液晶パネル２は、アルミフレーム４とパネルガイド９又は突出部９２とで挟持されてもよい。
【００５１】
テレビジョン受信機１の後側を上に向けて、水平な台の上にテレビジョン受信機１を載置する。テレビジョン受信機１からバックキャビネット５を取り外し、バックライトシャーシ６を露出させる。後方からバックライトシャーシ６及びアルミフレーム４を締結しているアルミフレームねじ４Ｓを外す。これにより、アルミフレーム４、液晶パネル２及びバックライトシャーシユニット６０が分離される。このとき、複数枚の光学シート８は、バックライトシャーシユニット６０内部に固定されており、ばらけない。バックライトシャーシユニット６０を取り外した場合、液晶パネル２が現れる。この液晶パネル２を別の液晶パネル２と交換する。
【００５２】
アルミフレーム４の筒部４１及びボス４３の位置を目安にして、バックライトシャーシユニット６０をアルミフレーム４及び液晶パネル２の上に重ねる。その際、ボス４３をパネルガイド９の外周側枠部９１に設けられた穴９１ｈに嵌合させる。バックライトシャーシ６の後側に設けられたねじ挿通穴にアルミフレームねじ４Ｓを挿入し、挿入したアルミフレームねじ４Ｓにより、アルミフレーム４及びバックライトシャーシ６を締結する。最後に、バックキャビネット５を取り付ける。
【００５３】
次に、ＬＥＤ７３の交換方法について説明する。
ＬＥＤ７３は、バックライトシャーシユニット６０に組み込まれている。そのため、ＬＥＤ７３を交換するためには、バックライトシャーシユニット６０を分解する必要がある。
【００５４】
図１１は、ＬＥＤ７３を交換するためにテレビジョン受信機１を分解する方法について示した説明図である。図１１は、簡略化したテレビジョン受信機１を示しており、フロントキャビネット３、バックキャビネット５、反射シート７２、ＬＥＤ基板７４及びスペーサ２Ｓは省略されている。また、電源基板Ｐ、受信部Ｔ及び駆動基板Ｄも省略されている。図１１は、ＬＥＤ７３を示すために、テレビジョン受信機１の下部断面を示している。
【００５５】
図１１Ａは、分解前のテレビジョン受信機１を示している。図１１Ｂは、テレビジョン受信機１からバックライトシャーシユニット６０を分離した状態を示している。図１１Ｂにおいて、破線により囲まれた部分は、バックライトシャーシユニット６０を示している。図１１Ｃは、分解後のバックライトシャーシユニット６０を示している。
【００５６】
テレビジョン受信機１の後側を上に向けて、水平な台の上にテレビジョン受信機１を載置する。テレビジョン受信機１からバックキャビネット５を取り外し、バックライトシャーシ６を露出させる。後方からバックライトシャーシ６及びアルミフレーム４を締結しているアルミフレームねじ４Ｓを外す。これにより、アルミフレーム４、液晶パネル２及びバックライトシャーシユニット６０が分離される。
【００５７】
後方からバックライトシャーシ６及びパネルガイド９に締結されているパネルガイドねじ９Ｓを外す。これにより、バックライトシャーシユニット６０は、バックライトシャーシ６、導光板７１、光学シート８、パネルガイド９、ＬＥＤ７３、ＬＥＤ基板７４及びＬＥＤバー７５に分解可能な状態になる。
この時、複数枚の光学シート８は、積層状態を保っている。
【００５８】
ＬＥＤ７３、ＬＥＤ基板７４及びＬＥＤバー７５は、一体の状態でバックライトシャーシユニット６０から分離される。分解状態のバックライトシャーシユニット６０から一体状態のＬＥＤ７３、ＬＥＤ基板７４及びＬＥＤバー７５を取り出す。不具合のＬＥＤ７３を正常品のＬＥＤ７３と交換する。
なお、ＬＥＤ７３の交換は、ＬＥＤ７３及びＬＥＤ基板７４をまとめて、ＬＥＤ７３が搭載された状態のＬＥＤ基板７４ごと交換してもよい。
【００５９】
交換後に係る一体状態のＬＥＤ７３、ＬＥＤ基板７４及びＬＥＤバー７５をバックライトシャーシユニット６０に組み込む。バックライトシャーシ６の後側に設けられたねじ挿通穴にアルミフレームねじ４Ｓ及びパネルガイドねじ９Ｓを挿入し、挿入したアルミフレームねじ４Ｓ及びパネルガイドねじ９Ｓにより、アルミフレーム４及びバックライトシャーシ６並びにパネルガイド９及びバックライトシャーシ６を夫々締結する。最後に、バックキャビネット５を取り付ける。
【００６０】
図１１Ｃは、説明の便宜上個々の部品が分離した状態のバックライトシャーシユニット６０を示した。しかし、実際には、バックライトシャーシユニット６０の各部品並びにアルミフレーム４及び液晶パネル２が組み合わさった状態で、一体状態のＬＥＤ７３、ＬＥＤ基板７４及びＬＥＤバー７５を取り出すことができる。
【００６１】
図１２は、ＬＥＤ７３を交換するための説明図である。図１２は、分解後のバックライトシャーシユニット６０、アルミフレーム４及び液晶パネル２を示している。図１２は、簡略化したバックライトシャーシユニット６０等を示しており、反射シート７２、ＬＥＤ基板７４及びスペーサ２Ｓは省略されている。
【００６２】
テレビジョン受信機１の後側を上に向けて、水平な台の上にテレビジョン受信機１を載置する。テレビジョン受信機１からバックキャビネット５を取り外し、バックライトシャーシ６を露出させる。アルミフレームねじ４Ｓ及びパネルガイドねじ９Ｓを外し、テレビジョン受信機１からバックライトシャーシ６を取り外した場合、ＬＥＤ７３、ＬＥＤ基板７４及びＬＥＤバー７５が露出する。このとき、複数枚の光学シート８は、ばらけていない。一体状態のＬＥＤ７３、ＬＥＤ基板７４及びＬＥＤバー７５を取り出し、ＬＥＤ７３を交換する。その後、テレビジョン受信機１を元の状態に組み立てる。
【００６３】
テレビジョン受信機１によれば、部品交換の作業効率を向上させることができる。
従来、液晶パネルを交換する場合、複数枚の光学シートを１枚ずつ外す作業があり、作業に長時間を要していた。また、光学シートを外すときと、液晶パネル交換後に光学シートを１枚ずつ重ねるときとに、光学シートの間にゴミが入る、光学シートが傷つく等の懸念事項があった。更に、液晶パネルの交換作業時に光学シートがばらける可能性があった。
しかし、パネルガイド９の突出部９２が導光板７１との間で光学シート８を挟持することにより、バックライトシャーシ６、バックライト７、光学シート８及びパネルガイド９は、一体のバックライトシャーシユニット６０を構成している。そのため、テレビジョン受信機１によれば、液晶パネル２を交換する場合、バックライトシャーシユニット６０を分解する必要はなく、作業時間は短縮され、光学シート８に懸念事項は生じない。
【００６４】
また、従来、バックライトを交換する場合、水平な台上で前側のねじで固定されたフロントキャビネットをテレビジョン受信機から取り外す。次に、テレビジョン受信機を反転させ、バックキャビネットをテレビジョン受信機から取り外す。フロントキャビネット及びバックキャビネットが取り外されたパネルモジュールを反転させ、液晶パネルの表側が上向きになるようにする。そして、パネルモジュールを、液晶モジュールとバックライトとに分解する。
しかし、テレビジョン受信機１は、各部材を後側からアルミフレームねじ４等で固定している。そのため、バックキャビネット５を外した後、テレビジョン受信機１を反転させる必要なしに、バックライト７の取り外しが可能である。
【００６５】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６６】
１      テレビジョン受信機
２      液晶パネル（表示パネル）
２Ｓ    スペーサ
３      フロントキャビネット
４      アルミフレーム（枠体）
４１    筒部
４２    前側枠
４３    ボス（ボス部）
４Ｓ    アルミフレームねじ（第二ねじ）
５      バックキャビネット
６      バックライトシャーシ
７      バックライト
７１    導光板
７２    反射シート
７３    ＬＥＤ（光源）
７４    ＬＥＤ基板
７５    ＬＥＤバー
８      光学シート
９      パネルガイド（位置決め枠）
９１    外周側枠部
９１ｈ  穴
９２    突出部
９Ｓ    パネルガイドねじ（ねじ）
６０    バックライトシャーシユニット
Ｐ      電源基板
Ｔ      受信部
Ｄ      駆動基板
Ｓ      スタンド
【図１】
2013242391.tif 000003
【図２】
2013242391.tif 000004
【図３】
2013242391.tif 000005
【図４】
2013242391.tif 000006
【図５】
2013242391.tif 000007
【図６】
2013242391.tif 000008
【図７】
2013242391.tif 000009
【図８】
2013242391.tif 000010
【図９】
2013242391.tif 000011
【図１０】
2013242391.tif 000012
【図１１】
2013242391.tif 000013
【図１２】
2013242391.tif 000014